(57)【要約】  伝送装置は、第１のノードから第２のノードへ光インタフェースを介してフレームを伝送する光伝送システムにおいて第１のノードに設けられ、フレーム生成回路から第１の電気インタフェースを介してフレームを受信する受信器と、光インタフェースを介して第２のノードへフレームを送信する光送信器と、第１の電気インタフェースで使用される第１のＦＥＣの種別と第２の電気インタフェースで使用される第２のＦＥＣの種別とが同じであるか判定する判定部と、を備える。第１のＦＥＣの種別と第２のＦＥＣの種別とが同じであるときには、受信器は、受信フレームに付加されているＦＥＣを終端することなく、ＦＥＣが付加されたフレームを光送信器に導く。
2016110973.tif 000002
【特許請求の範囲】
【請求項１】
第１のノードから第２のノードへ光インタフェースを介してフレームを伝送する光伝送システムにおいて前記第１のノードに設けられる伝送装置であって、
誤り訂正符号が付加されたフレームをフレーム生成回路から第１の電気インタフェースを介して受信する受信器と、
前記受信器により受信されたフレームを前記光インタフェースを介して前記第２のノードへ送信する光送信器と、
前記第１の電気インタフェースにおけるデータ伝送を表す第１の伝送情報、および前記第２のノード内に設けられる光受信器と前記フレームを終端するフレーム終端回路との間の第２の電気インタフェースにおけるデータ伝送を表す第２の伝送情報に基づいて、前記第１の電気インタフェースで使用される第１の誤り訂正符号の種別と前記第２の電気インタフェースで使用される第２の誤り訂正符号の種別とが同じであるか判定する判定部と、を備え、
前記第１の誤り訂正符号の種別と前記第２の誤り訂正符号の種別とが異なるときには、前記受信器は、受信フレームに付加されている誤り訂正符号を終端し、誤り訂正符号が除去されたフレームを前記光送信器に導き、
前記第１の誤り訂正符号の種別と前記第２の誤り訂正符号の種別とが同じであるときには、前記受信器は、受信フレームに付加されている誤り訂正符号を終端することなく、誤り訂正符号が付加されたフレームを前記光送信器に導く
ことを特徴とする伝送装置。
【請求項２】
前記光インタフェースへ信号を送信する送信レートを制御するレート制御部をさらに備え、
前記第１の誤り訂正符号の種別と前記第２の誤り訂正符号の種別とが異なるときには、前記レート制御部は、誤り訂正符号が除去されたフレームが第１のレートで前記光インタフェースを介して伝送されるように前記光送信器を制御し、
前記第１の誤り訂正符号の種別と前記第２の誤り訂正符号の種別とが同じであるときには、前記レート制御部は、誤り訂正符号が付加されたフレームが前記第１のレートよりも高い第２のレートで前記光インタフェースを介して伝送されるように前記光送信器を制御する
ことを特徴とする請求項１に記載の伝送装置。
【請求項３】
前記レート制御部は、前記光インタフェースのクロック周波数を制御する
ことを特徴とする請求項２に記載の伝送装置。
【請求項４】
前記光送信器は、ＤＭＴ（Discrete Multi-Tone）変調を利用して前記光インタフェースを介して前記第２のノードへフレームを送信する構成であり、
前記レート制御部は、前記光送信器において生成されるＤＭＴ変調信号の各サブキャリアに割り当てるビットを制御する
ことを特徴とする請求項２に記載の伝送装置。
【請求項５】
前記判定部は、前記第１の電気インタフェースの伝送レートと前記第２の電気インタフェースの伝送レートとを比較することにより、前記第１の誤り訂正符号の種別と前記第２の誤り訂正符号の種別とが同じであるか判定する
ことを特徴とする請求項１〜４のいずれか１つに記載の伝送装置。
【請求項６】
前記判定部は、前記第１の電気インタフェースの変調方式と前記第２の電気インタフェースの変調方式とを比較することにより、前記第１の誤り訂正符号の種別と前記第２の誤り訂正符号の種別とが同じであるか判定する
ことを特徴とする請求項１〜５のいずれか１つに記載の伝送装置。
【請求項７】
前記判定部は、前記第１の電気インタフェースの物理レーンの数と前記第２の電気インタフェースの物理レーンの数とを比較することにより、前記第１の誤り訂正符号の種別と前記第２の誤り訂正符号の種別とが同じであるか判定する
ことを特徴とする請求項１〜６のいずれか１つに記載の伝送装置。
【請求項８】
前記判定部は、前記第１の電気インタフェースの規格と前記第２の電気インタフェースの規格とを比較することにより、前記第１の誤り訂正符号の種別と前記第２の誤り訂正符号の種別とが同じであるか判定する
ことを特徴とする請求項１〜７のいずれか１つに記載の伝送装置。
【請求項９】
前記判定部は、前記第１の電気インタフェースにおいて予め測定された誤り率と前記第２の電気インタフェースにおいて予め測定された誤り率とを比較することにより、前記第１の誤り訂正符号の種別と前記第２の誤り訂正符号の種別とが同じであるか判定する
ことを特徴とする請求項１〜８のいずれか１つに記載の伝送装置。
【請求項１０】
第１のノードから第２のノードへ光インタフェースを介してフレームを伝送する光伝送システムにおいて前記第２のノードに設けられる伝送装置であって、
前記第１のノードから光インタフェースを介してフレームを受信する光受信器と、
前記光受信器により受信されたフレームを、前記フレームを終端するフレーム終端回路へ第２の電気インタフェースを介して送信する送信回路と、
前記第１のノード内に設けられる前記フレームを生成するフレーム生成回路と光送信器との間の第１の電気インタフェースにおけるデータ伝送を表す第１の伝送情報、および前記第２の電気インタフェースにおけるデータ伝送を表す第２の伝送情報に基づいて、前記第１の電気インタフェースで使用される第１の誤り訂正符号の種別と前記第２の電気インタフェースで使用される第２の誤り訂正符号の種別とが同じであるか判定する判定部と、
を備え、
前記第１の誤り訂正符号の種別と前記第２の誤り訂正符号の種別とが異なるときには、前記送信器は、前記光受信器により受信されたフレームに誤り訂正符号を付加して前記フレーム終端回路へ送信し、
前記第１の誤り訂正符号の種別と前記第２の誤り訂正符号の種別とが同じであるときには、前記送信器は、前記光受信器により受信されたフレームを前記フレーム終端回路へ送信する
ことを特徴とする伝送装置。
【請求項１１】
前記光インタフェースから信号を受信する受信レートを制御するレート制御部をさらに備え、
前記第１の誤り訂正符号の種別と前記第２の誤り訂正符号の種別とが異なるときには、前記レート制御部は、前記光インタフェースを介して誤り訂正符号が付加されていないフレームを第１のレートで受信するように前記光受信器を制御し、
前記第１の誤り訂正符号の種別と前記第２の誤り訂正符号の種別とが同じであるときには、前記レート制御部は、前記光インタフェースを介して誤り訂正符号が付加されているフレームを前記第１のレートよりも高い第２のレートで受信するように前記光送信器を制御する
ことを特徴とする請求項１０に記載の伝送装置。
【請求項１２】
第１のノードから第２のノードへ光インタフェースを介してフレームを伝送する伝送方法であって、
前記第１のノードには、フレームを生成するフレーム生成回路および前記フレーム生成回路により生成されたフレームを前記光インタフェースへ出力する第１の伝送装置が設けられており、
前記第２のノードには、前記光インタフェースからフレームを受信する第２の伝送装置および前記第２の伝送装置により受信されたフレームを終端するフレーム終端回路が設けられており、
前記フレーム生成回路により生成されるフレームに付加されている誤り訂正符号の種別と、前記フレーム終端回路により終端される誤り訂正符号の種別とが異なるときは、
前記第１の伝送装置は、前記フレーム生成回路により生成されたフレームに付加されている誤り訂正符号を終端し、誤り訂正符号が除去されたフレームを前記光インタフェースへ出力し、
前記第２の伝送装置は、前記光インタフェースを介して受信したフレームに誤り訂正符号を付加して前記フレーム終端回路へ導き、
前記フレーム生成回路により生成されるフレームに付加されている誤り訂正符号の種別と、前記フレーム終端回路により終端される誤り訂正符号の種別とが同じであるときは、
前記第１の伝送装置は、前記フレーム生成回路により生成されたフレームに付加されている誤り訂正符号を終端することなく、誤り訂正符号が付加されたフレームを前記光インタフェースへ出力し、
前記第２の伝送装置は、前記光インタフェースを介して受信したフレームを前記フレーム終端回路へ導く
ことを特徴とする伝送方法。
【発明の詳細な説明】
【技術分野】
【０００１】
本発明は、光伝送システムにおいて使用される伝送装置および伝送方法に係わる。
【背景技術】
【０００２】
近年、ネットワークの高速化および大容量化が要求されている。このため、ノード間の距離が長い場合だけでなく、ノード間の距離が比較的短い場合においても、光信号を利用してデータが伝送されることがある。【０００３】
図１は、光伝送システムの一例を示す。図１に示す実施例では、ノードＡには、ＭＡＣ（Media Access Control）デバイス１ａおよび光トランシーバ２ａが設けられている。また、ノードＢには、ＭＡＣデバイス１ｂおよび光トランシーバ２ｂが設けられている。【０００４】
ＭＡＣデバイス１ａは、入力データを指定された形式のフレームに格納して光トランシーバ２ａに導く。また、ＭＡＣデバイス１ａは、対向ノードから送信されるフレームからデータを抽出する。光トランシーバ２ａは、ＭＡＣデバイス１ａにより生成されるフレームを光信号に変換して対向ノードへ送信する。また、光トランシーバ２ａは、対向ノードから受信する光信号を電気信号に変換してＭＡＣデバイス１ａに導く。なお、ＭＡＣデバイス１ｂおよび光トランシーバ２ｂは、実質的にＭＡＣデバイス１ａおよび光トランシーバ２ａと同じなので、説明を省略する。【０００５】
上記構成の光伝送システムにおいて、データ伝送のさらなる高速化が要求されている。近年では、ノード間で約100Gbpsのデータを伝送する構成が実用化されている。また、ノード間で400Gbpsのデータを伝送する構成が検討されている。【０００６】
ところが、データの伝送レートが高くなると、ビット誤り率も高くなる傾向にある。特に、電気回路の高速化は容易ではないので、データの伝送レートが高くなると、電気インタフェースにおいてビット誤りが発生しやすくなる。このため、電気インタフェースにおいて誤り訂正符号（ＦＥＣ：Forward Error Correction）を利用してビット誤りを検出および訂正する構成が提案されている。図１に示す例では、ノードＡにおいてＭＡＣデバイス１ａと光トランシーバ２ａとの間で伝送されるフレームにＦＥＣが付加され、ノードＢにおいてＭＡＣデバイス１ｂと光トランシーバ２ｂとの間で伝送されるフレームにＦＥＣが付加される。【０００７】
なお、下記の非特許文献１に関連技術が記載されている。
【先行技術文献】
【非特許文献】
【０００８】
【非特許文献１】A 400GbE Architectural Option, IEEE P802.3bs 400Gb/s Ethernet Task Force, July 2014, San Diego
【発明の概要】
【発明が解決しようとする課題】
【０００９】
上述のように、電気インタフェースにおいてＦＥＣを用いて誤り訂正を行う構成が提案されている。しかしながら、ＦＥＣを終端する回路の消費電力は小さくない。例えば、１００Ｇ−ＫＲ４を終端する回路の消費電力は約４５ｍＷであり、１００Ｇ−ＫＰ４を終端する回路の消費電力は約１０５ｍＷである。【００１０】
本発明の１つの側面に係わる目的は、誤り訂正を行う光伝送システムにおいて使用される伝送装置の消費電力を削減することである。
【課題を解決するための手段】
【００１１】
本発明の１つの態様の伝送装置は、第１のノードから第２のノードへ光インタフェースを介してフレームを伝送する光伝送システムにおいて前記第１のノードに設けられる。この伝送装置は、誤り訂正符号が付加されたフレームをフレーム生成回路から第１の電気インタフェースを介して受信する受信器と、前記受信器により受信されたフレームを前記光インタフェースを介して前記第２のノードへ送信する光送信器と、前記第１の電気インタフェースにおけるデータ伝送を表す第１の伝送情報、および前記第２のノード内に設けられる光受信器と前記フレームを終端するフレーム終端回路との間の第２の電気インタフェースにおけるデータ伝送を表す第２の伝送情報に基づいて、前記第１の電気インタフェースで使用される第１の誤り訂正符号の種別と前記第２の電気インタフェースで使用される第２の誤り訂正符号の種別とが同じであるか判定する判定部と、を備える。前記第１の誤り訂正符号の種別と前記第２の誤り訂正符号の種別とが異なるときには、前記受信器は、受信フレームに付加されている誤り訂正符号を終端し、誤り訂正符号が除去されたフレームを前記光送信器に導く。前記第１の誤り訂正符号の種別と前記第２の誤り訂正符号の種別とが同じであるときには、前記受信器は、受信フレームに付加されている誤り訂正符号を終端することなく、誤り訂正符号が付加されたフレームを前記光送信器に導く。
【発明の効果】
【００１２】
上述の態様によれば、誤り訂正を行う光伝送システムにおいて使用される伝送装置の消費電力が削減される。
【図面の簡単な説明】
【００１３】
【図１】光伝送システムの一例を示す図である。
【図２】本発明の実施形態に係わる伝送方法の概要を説明する図である。
【図３】本発明の実施形態に係わる光伝送システムの一例を示す図である。
【図４】光トランシーバ内に設けられる受信器の構成の例を示す図である。
【図５】ＤＭＴ変調を利用してデータを伝送する光伝送システムの一例を示す図である。
【図６】ＤＭＴ変調について説明する図である。
【図７】ＦＥＣ設定処理を示すフローチャートである。
【図８】本発明の実施形態に係わる光伝送システムの他の例を示す図である。
【図９】本発明の実施形態に係わる光伝送システムのさらに他の例を示す図である。
【図１０】ＦＥＣ設定シーケンスの実施例（その１）を示す図である。
【図１１】ＦＥＣ設定シーケンスの実施例（その２）を示す図である。
【図１２】ＦＥＣ設定シーケンスの実施例（その３）を示す図である。
【図１３】ＦＥＣ設定シーケンスの実施例（その４）を示す図である。
【図１４】ＦＥＣ設定シーケンスの実施例（その５）を示す図である。
【図１５】ＦＥＣ設定シーケンスの実施例（その６）を示す図である。
【発明を実施するための形態】
【００１４】
図２は、本発明の実施形態に係わる伝送方法の概要を説明する図である。図２に示す光伝送システムは、ノードＡおよびノードＢを含む。ノードＡには、ＭＡＣデバイス１ａおよび光トランシーバ２ａが設けられている。また、ノードＢには、ＭＡＣデバイス１ｂおよび光トランシーバ２ｂが設けられている。
【００１５】
ＭＡＣデバイス１ａは、ＭＡＣレイヤの処理を実行し、入力データを指定された形式のフレームに格納して光トランシーバ２ａに導く。また、ＭＡＣデバイス１ａは、対向ノードから送信されるフレームからデータを抽出する。光トランシーバ２ａは、ＭＡＣデバイス１ａにより生成されるフレームを光信号に変換して対向ノードへ送信する。また、光トランシーバ２ａは、対向ノードから受信する光信号を電気信号に変換してＭＡＣデバイス１ａに導く。なお、ＭＡＣデバイス１ｂおよび光トランシーバ２ｂは、実質的にＭＡＣデバイス１ａおよび光トランシーバ２ａと同じなので、説明を省略する。
【００１６】
以下の記載では、図２に示す光伝送システムにおいて、ノードＡからノードＢへデータが伝送されるものとする。この場合、送信データは、ＭＡＣデバイス１ａに与えられる。そうすると、ＭＡＣデバイス１ａは、送信データを格納するフレームを生成する。すなわち、ＭＡＣデバイス１ａは、フレームを生成するフレーム生成回路として動作することができる。そして、光トランシーバ２ａは、ＭＡＣデバイス１ａにより生成されるフレームを、光インタフェースを介してノードＢへ送信する。
【００１７】
ノードＡから送信される光信号は、光インタフェースを介してノードＢへ伝送される。光トランシーバ２ｂは、ノードＡから受信する光信号を電気信号に変換してＭＡＣデバイス１ｂに導く。このとき、ノードＡにおいて生成されたフレームが再生される。ＭＡＣデバイス１ｂは、再生されたフレームを終端してデータを抽出する。すなわち、ＭＡＣデバイス１ｂは、フレームを終端するフレーム終端回路として動作することができる。
【００１８】
上記光伝送システムにおいて、ビット誤りを検出および訂正するために、データを格納するフレームにＦＥＣが付加される。以下、幾つかのケースにおけるＦＥＣ処理について説明する。
【００１９】
図２（ａ）に示すケースでは、ノードＡの電気インタフェースＩＦ−１において、ＦＥＣ−１が使用される。すなわち、ＭＡＣデバイス１ａは、フレームにＦＥＣ−１を付加する。また、光トランシーバ２ａは、フレームに付加されているＦＥＣ−１を終端する。すなわち、光トランシーバ２ａは、フレームに付加されているＦＥＣ−１を利用して誤り訂正を実行する。そして、光トランシーバ２ａは、そのフレームからＦＥＣ−１を除去してノードＢへ送信する。また、ノードＢの電気インタフェースＩＦ−２においても、ＦＥＣ−１が使用される。すなわち、光トランシーバ２ｂは、ノードＡから受信したフレームにＦＥＣ−１を付加する。そして、ＭＡＣデバイス１ｂは、フレームに付加されているＦＥＣ−１を終端する。すなわち、光トランシーバ２ａは、フレームに付加されているＦＥＣ−１を利用して誤り訂正を実行する。そして、ＭＡＣデバイス１ｂは、そのフレームからデータを抽出する。
【００２０】
このように、図２（ａ）に示すケースでは、ノードＡ、Ｂそれぞれにおいて誤り訂正が行われる。したがって、光トランシーバ（この例では、ノードＡの光トランシーバ２ａ）も誤り訂正を実行する。
【００２１】
ところが、送信側ノード（即ち、ノードＡ）および受信側ノード（即ち、ノードＢ）において使用されるＦＥＣの種別が互いに同じであるときは、必ずしも送信側ノードおよび受信側ノードのそれぞれにおいて誤り訂正を実行する必要はない。すなわち、図２（ｂ）に示すように、ＭＡＣデバイス１ａ、１ｂ間で誤り訂正を実行すれば、ノードＡにおいて発生するビット誤りおよびノードＢにおいて発生するビット誤りが訂正され得る。
【００２２】
なお、図２（ｂ）に示すケースでは、ＭＡＣデバイス１ａは、フレームにＦＥＣ−１を付加する。光トランシーバ２ａは、ＦＥＣ−１を終端することなく、ＦＥＣ−１が付加されているフレームをノードＢへ送信する。光トランシーバ２ｂは、ノードＡから受信したフレームをＭＡＣデバイス１ｂに導く。ＭＡＣデバイス１ｂは、フレームに付加されているＦＥＣ−１を終端する。すなわち、ＭＡＣデバイス１ｂは、フレームに付加されているＦＥＣ−１を利用して誤り訂正を実行する。
【００２３】
このように、送信側ノードおよび受信側ノードにおいて使用されるＦＥＣの種別が互いに同じであるときは、光トランシーバにおいてＦＥＣを終端しなくても、送信側ノードおよび受信側ノードにおいて発生するビット誤りは訂正され得る。ここで、図２（ａ）に示すケースと比較すると、図２（ｂ）に示すケースでは、光トランシーバ２ａにおいてＦＥＣを終端するための消費電力が削減される。また、光トランシーバ２ｂにおいては、受信フレームにＦＥＣを付加するための消費電力が削減される。
【００２４】
ただし、図２（ｃ）に示すように、送信側ノードまたは受信側ノードのいずれか一方において誤り訂正が実行されないときは、ＭＡＣデバイス１ａ、１ｂ間で誤り訂正を実行することはできない。この場合、光トランシーバ２ａは、ＭＡＣデバイス１ａにより生成されるフレームに付加されているＦＥＣを終端する。また、図２（ｄ）に示すように、送信側ノードおよび受信側ノードにおいて使用されるＦＥＣの種別が互いに異なるときも、ＭＡＣデバイス１ａ、１ｂ間で誤り訂正を実行することはできない。この場合も、光トランシーバ２ａは、ＭＡＣデバイス１ａにより生成されるフレームに付加されているＦＥＣを終端する。
【００２５】
そこで、ノードＡは、ノードＡにおいて使用されるＦＥＣの種別とノードＢにおいて使用されるＦＥＣの種別とを比較する。そして、双方のＦＥＣの種別が互いに一致するときは、ノードＡは、ＭＡＣデバイス１ａによりフレームに付加されたＦＥＣを終端することなく、ＦＥＣが付加されたフレームをノードＢへ送信する。そして、ノードＡにおいてフレームに付加されたＦＥＣは、ＭＡＣデバイス１ｂにより終端される。この伝送方法により、光トランシーバ（特に、送信側ノードの光トランシーバ）の消費電力が削減される。
【００２６】
図３は、本発明の実施形態に係わる光伝送システムの一例を示す。ＭＡＣデバイス１ａおよび光トランシーバ２ａは、ノードＡに設けられる。また、ＭＡＣデバイス１ｂおよび光トランシーバ２ｂは、ノードＢに設けられる。なお、ＭＡＣデバイス１ａ、１ｂは、ＭＡＣレイヤの処理を実行する。すなわち、ＭＡＣデバイス１ａ、１ｂは、入力データを指定された形式のフレームに格納する処理、および受信フレームからデータを抽出する処理を実行することができる。
【００２７】
ＭＡＣデバイス１ａは、送信器１１ａおよび受信器１２ａを有する。なお、ＭＡＣデバイス１ａは、他の回路要素を有していてもよい。送信器１１ａは、入力データをフレームに格納し、電気インタフェースＩＦ−１を介して光トランシーバ２ａへ送信する。このとき、ＭＡＣデバイス１ａは、送信フレームにＦＥＣを付加する。受信器１２ａは、光トランシーバ２ａから電気インタフェースＩＦ−１を介して受信するフレームからデータを抽出する。受信フレームにＦＥＣが付加されているときには、ＭＡＣデバイス１ａは、そのＦＥＣを終端することができる。なお、ＭＡＣデバイス１ａと光トランシーバ２ａとの間の電気インタフェースＩＦ−１においては、例えば、複数の物理レーンを介して複数の電気信号が並列に伝送される。
【００２８】
光トランシーバ２ａは、受信器２１ａ、光送信器２２ａ、光受信器２３ａ、送信器２４ａ、電気ＩＦ情報収集部２５ａ、ＦＥＣ設定制御部２６ａ、光ＩＦレート制御部２７ａ、電気ＩＦ情報収集部２８ｂを有する。なお、光トランシーバ２ａは、他の回路要素を有していてもよい。
【００２９】
受信器２１ａは、ＭＡＣデバイス１ａから電気インタフェースＩＦ−１を介してフレームを受信する。受信フレームにＦＥＣが付加されているときには、受信器２１ａは、必要に応じてそのＦＥＣを終端する。このとき、受信器２１ａは、ＦＥＣ設定制御部２６ａから与えられる指示に従って、受信フレームのＦＥＣを終端するか否かを判定する。光送信器２２ａは、光インタフェースを介してノードＢへフレームを送信する。このとき、光送信器２２ａは、光ＩＦレート制御部２７ａから指示されるレートでフレームをノードＢへ送信する。
【００３０】
光受信器２３ａは、ノードＢから光インタフェースを介してフレームを受信する。このとき、光受信器２３ａは、光ＩＦレート制御部２７ａから指示されるレートでフレームを受信する。送信器２４ａは、光受信器２３ａにより受信されたフレームを、電気インタフェースＩＦ−１を介してＭＡＣデバイス１ａへ送信する。このとき、送信器２４ａは、ＦＥＣ設定制御部２６ａから与えられる指示に応じて、ＭＡＣデバイス１ａへ送信するフレームにＦＥＣを付加することができる。
【００３１】
ノードＡ、Ｂ間の光インタフェースにおいては、特に限定されるものではないが、例えば、ＤＭＴ（Discrete Multi-Tone）変調を利用してデータが伝送される。この場合、複数の波長チャネルを利用して複数のＤＭＴ変調光信号が伝送されるようにしてもよい。
【００３２】
電気ＩＦ情報収集部２５ａは、ＭＡＣデバイス１ａと光トランシーバ２ａとの間の電気インタフェースＩＦ−１におけるデータ伝送を表す伝送情報を取得する。伝送情報は、例えば、下記の項目のうちの少なくとも１つを含む。
（１）伝送レート
（２）変調方式
（３）物理レーンの本数
（４）インタフェースの規格の名称
（５）予め測定されたビット誤り率
ただし、伝送情報は、上記（１）〜（５）に限定されるものではない。例えば、伝送情報は、ＦＥＣの種別を識別する情報であってもよい。
【００３３】
電気ＩＦ情報収集部２５ａは、取得した伝送情報をＦＥＣ設定制御部２６ａに与える。また、電気ＩＦ情報収集部２５ａは、取得した伝送情報を、光送信器２２ａを利用してノードＢへ送信することができる。なお、伝送情報は、例えば、光トランシーバ内のメモリに予め記録されている。この場合、電気ＩＦ情報収集部２５ａは、光トランシーバ内のメモリから伝送情報を読み出す。或いは、伝送情報は、ＭＡＣデバイス内のメモリに記録されている。この場合、電気ＩＦ情報収集部２５ａは、ＭＡＣデバイスから伝送情報を取得する。
【００３４】
ＦＥＣ設定制御部２６ａは、電気インタフェースＩＦ−１の伝送情報および電気インタフェースＩＦ−２の伝送情報に基づいて、電気インタフェースＩＦ−１で使用されるＦＥＣの種別および電気インタフェースＩＦ−２で使用されるＦＥＣの種別が同じであるか否かを判定する。このとき、ＦＥＣ設定制御部２６ａは、各電気インタフェースＩＦ−１、ＩＦ−２で使用されるＦＥＣの種別を認識するようにしてもよい。そして、ＦＥＣ設定制御部２６ａは、この判定結果に応じて、ＦＥＣ設定を表すＦＥＣ指示を受信器２１ａおよび送信器２４ａに与える。また、ＦＥＣ設定制御部２６ａは、この判定結果に応じて、光インタフェースの伝送レートを表すレート指示を光ＩＦレート制御部２７ａに与える。
【００３５】
光ＩＦレート制御部２７ａは、ＦＥＣ設定制御部２６ａから与えられるレート指示に従って、光送信器２２ａおよび光受信器２３ａを制御する。すなわち、光ＩＦレート制御部２７ａは、ＦＥＣ設定制御部２６ａから与えられるレート指示に従って、光送信器２２ａの送信レートを制御すると共に、光受信器２３ａの受信レートを制御する。
【００３６】
電気ＩＦ情報収集部２８ａは、ノードＢから送信される、電気インタフェースＩＦ−２の伝送情報を取得する。そして、電気ＩＦ情報収集部２８ａは、ノードＢから取得した伝送情報をＦＥＣ設定制御部２６ａに与える。
【００３７】
なお、電気ＩＦ情報収集部２５ａ、２８ａ、ＦＥＣ設定制御部２６ａ、光ＩＦレート制御部２７ａは、例えば、プロセッサシステムにより実現される。プロセッサシステムは、プロセッサエレメントおよびメモリを含む。この場合、プロセッサエレメントは、メモリに格納されているプログラムを実行することにより、ＦＥＣ設定を実行できる。ただし、電気ＩＦ情報収集部２５ａ、２８ａ、ＦＥＣ設定制御部２６ａ、光ＩＦレート制御部２７ａは、ソフトウェアおよびハードウェアの組合せで実現してもよい。
【００３８】
ノードＢに設けられるＭＡＣデバイス１ｂは、ＭＡＣデバイス１ａと同様に、送信器１１ｂおよび受信器１２ｂを有する。また、ノードＢに設けられる光トランシーバ２ｂは、光トランシーバ２ａと同様に、受信器２１ｂ、光送信器２２ｂ、光受信器２３ｂ、送信器２４ｂ、電気ＩＦ情報収集部２５ｂ、ＦＥＣ設定制御部２６ｂ、光ＩＦレート制御部２７ｂ、電気ＩＦ情報収集部２８ｂを有する。なお、ＭＡＣデバイス１ａおよびＭＡＣデバイス１ｂの構成は、実質的に同じであり、また、光トランシーバ２ａおよび光トランシーバ２ｂの構成は、実質的に同じである。よって、ＭＡＣデバイス１ｂおよび光トランシーバ２ｂについては、説明を省略する。
【００３９】
ただし、電気インタフェースＩＦ−１および電気インタフェースＩＦ−２は、互いに同じである必要はない。すなわち、電気インタフェースＩＦ−１および電気インタフェースＩＦ−２は、互いに異なっていてもよい。
【００４０】
上記構成の光伝送システムにおいて、ノードＡ、Ｂ間でデータ伝送を行うときは、そのデータ伝送に先立って、ＦＥＣを処理するための構成が決定される。以下の記載では、ノードＡからノードＢへのデータ伝送に係わる構成が決定されるものとする。ただし、実際には、ノードＡ、Ｂ間が接続されたときに、ノードＡからノードＢへのデータ伝送に係わる構成、およびノードＢからノードＡへのデータ伝送に係わる構成が決定されるようにしてもよい。
【００４１】
ノードＡ、Ｂ間が接続されると、ノードＡにおいて、電気ＩＦ情報収集部２５ａは、電気インタフェースＩＦ−１のデータ伝送を表す伝送情報を収集する。伝送情報は、上述したように、伝送レート、変調方式、物理レーンの本数、インタフェースの規格の名称、予め測定されたビット誤り率のうちの少なくとも１つを含む。
【００４２】
伝送レートは、例えば、100Gbpsまたは400Gbpsである。変調方式は、ＭＡＣデバイス１ａと光トランシーバ２ａとの間で伝送される信号の変調方式を表す。物理レーンの本数は、例えば、４本、８本、または１６本である。インタフェースの規格の名称は、たとえば、ＣＡＵＩ−４、ＣＤＡＵＩ−８、ＣＤＡＵＩ−１６である。ビット誤り率は、予め測定されて光トランシーバ２ａ内の所定のメモリ領域に記録されている。なお、電気ＩＦ情報収集部２５ａは、受信器２１ａにアクセスすることにより、或いは光トランシーバ２ａ内の所定のメモリ領域にアクセスすることにより、伝送情報を取得できるものとする。
【００４３】
電気ＩＦ情報収集部２５ａは、取得した伝送情報をＦＥＣ設定制御部２６ａに与える。また、電気ＩＦ情報収集部２５ａは、取得した伝送情報を、光送信器２２ａを利用してノードＢへ送信する。ノードＡからノードＢに通知される伝送情報は、ノードＢにおいてＦＥＣ設定制御部２６ｂに与えられる。
【００４４】
同様に、ノードＢにおいて、電気ＩＦ情報収集部２５ｂは、電気インタフェースＩＦ−２のデータ伝送を表す伝送情報を収集する。そして、電気ＩＦ情報収集部２５ｂは、取得した伝送情報をＦＥＣ設定制御部２６ｂに与える。また、電気ＩＦ情報収集部２５ｂは、取得した伝送情報を、光送信器２２ｂを利用してノードＡへ送信する。ノードＢからノードＡに通知される伝送情報は、ノードＡにおいてＦＥＣ設定制御部２６ａに与えられる。
【００４５】
上記手順により、ノードＡのＦＥＣ設定制御部２６ａは、電気インタフェースＩＦ−１のデータ伝送を表す伝送情報（以下、「伝送情報ＩＦ−１」）、および電気インタフェースＩＦ−２のデータ伝送を表す伝送情報（以下、「伝送情報ＩＦ−２」）を取得する。また、ノードＢのＦＥＣ設定制御部２６ｂも、伝送情報ＩＦ−１および伝送情報ＩＦ−２を取得する。
【００４６】
ＦＥＣ設定制御部２６ａは、伝送情報ＩＦ−１と伝送情報ＩＦ−２とを比較する。そして、伝送情報ＩＦ−１と伝送情報ＩＦ−２とが一致するときは、ＦＥＣ設定制御部２６ａは、電気インタフェースＩＦ−１で使用されるＦＥＣの種別と電気インタフェースＩＦ−２で使用されるＦＥＣの種別とが互いに同じであると判定する。一方、伝送情報ＩＦ−１と伝送情報ＩＦ−２とが一致しないときは、ＦＥＣ設定制御部２６ａは、電気インタフェースＩＦ−１で使用されるＦＥＣの種別と電気インタフェースＩＦ−２で使用されるＦＥＣの種別とが互いに異なっていると判定する。なお、ＦＥＣ設定制御部２６ａは、伝送情報ＩＦ−１、ＩＦ−２に基づいて電気インタフェースＩＦ−１、ＩＦ−２で使用されるＦＥＣの種別をそれぞれ判定することができる。そして、ＦＥＣ設定制御部２６ａは、この判定結果を利用して電気インタフェースＩＦ−１、ＩＦ−２で使用されるＦＥＣの種別が互いに同じであるか判定してもよい。
【００４７】
電気インタフェースＩＦ−１、ＩＦ−２に適用されるＦＥＣの種別は、例えば、電気インタフェースＩＦ−１、ＩＦ−２のビット誤り率に応じて決定されることが好ましい。そして、電気インタフェースＩＦ−１、ＩＦ−２のビット誤り率は、電気インタフェースＩＦ−１、ＩＦ−２の伝送レート、変調方式、物理レーンの本数、インタフェースの規格などに依存する。したがって、この実施例では、電気インタフェースＩＦ−１、ＩＦ−２に適用されるＦＥＣの種別は、電気インタフェースＩＦ−１、ＩＦ−２の伝送レート、変調方式、物理レーンの本数、インタフェースの規格に対応するものとする。すなわち、ＦＥＣ設定制御部２６ａは、伝送情報ＩＦ−１、ＩＦ−２を取得することにより、電気インタフェースＩＦ−１、ＩＦ−２に適用されるＦＥＣの種別を判定することができる。
【００４８】
電気インタフェースＩＦ−１、ＩＦ−２に適用されるＦＥＣが互いに同じであるときには、図２（ｂ）を参照しながら説明したように、光トランシーバ２ａでＦＥＣを終端することなく、ＭＡＣデバイス１ａ、１ｂ間で誤り訂正を実行できる。よって、電気インタフェースＩＦ−１、ＩＦ−２に適用されるＦＥＣが互いに同じであるときは、ＦＥＣ設定制御部２６ａは、ＦＥＣを終端しない旨を指示するＦＥＣ指示を受信器２１ａに与える。一方、電気インタフェースＩＦ−１、ＩＦ−２に適用されるＦＥＣが互いに同じではないときには、図２（ｃ）および図２（ｄ）を参照しながら説明したように、光トランシーバ２ａにおいてＦＥＣを終端する必要がある。したがって、この場合、ＦＥＣ設定制御部２６ａは、ＦＥＣを終端する旨を指示するＦＥＣ指示を受信器２１ａに与える。
【００４９】
図４（ａ）は、送信側ノードの光トランシーバ内に設けられる受信器の構成の一例を示す。すなわち、ノードＡの光トランシーバ２ａに設けられる受信器２１ａの構成を示す。この実施例では、受信器２１ａは、ＦＥＣ処理部３０を含む。ＦＥＣ処理部３０は、誤り訂正部３１およびＦＥＣ除去部３２を含む。なお、図４（ａ）において、受信器２１ａ内の他の回路要素は省略されている。
【００５０】
ＭＡＣデバイス１ａから受信するフレームは、ＦＥＣ処理部３０に導かれる。ここで、ＭＡＣデバイス１ａから受信するフレームには、ＦＥＣが付加されている。
【００５１】
ＦＥＣ処理部３０には、ＦＥＣ設定制御部２６ａからＦＥＣ指示が与えられる。ＯＮ状態を表すＦＥＣ指示がＦＥＣ指示部３０に与えられたときは、ＦＥＣ処理部３０は、受信フレームに付加されているＦＥＣを終端する。すなわち、誤り訂正部３１は、受信フレームに付加されているＦＥＣを利用してデータの誤りを訂正する。そして、ＦＥＣ除去部３２は、このフレームからＦＥＣを除去する。これに対して、ＯＦＦ状態を表すＦＥＣ指示がＦＥＣ指示部３０に与えられたときは、ＦＥＣ処理部３０はＦＥＣ処理を実行しない。この場合、誤り訂正は実行されず、また、フレームからＦＥＣは除去されない。
【００５２】
このように、電気インタフェースＩＦ−１、ＩＦ−２に適用されるＦＥＣが互いに同じであるときには、ＯＦＦ状態を表すＦＥＣ指示がＦＥＣ指示部３０に与えられる。この場合、受信器２１ａにおいて誤り訂正は実行されないので、光トランシーバ２ａの消費電力が抑制される。
【００５３】
ただし、この実施形態では、光トランシーバ２ａは、ＦＥＣが付加されているフレームをノードＢへ送信することもあるし、ＦＥＣが除去されたフレームをノードＢへ送信することもある。ここで、フレームからＦＥＣが除去されているときと比較して、フレームにＦＥＣが付加されているときは、光インタフェースへ送出される光信号の伝送レートを高くする必要がある。例えば、ＦＥＣが１００Ｇ−ＫＰ４（ＲＳ（５４４、５１４、Ｔ＝１５、Ｍ＝１０））である場合、オーバヘッドは約３パーセントである。したがって、このＦＥＣが適用される場合、フレームからＦＥＣが除去されているときと比較して、フレームにＦＥＣが付加されているときは、光インタフェースへ送出される光信号の伝送レートを約３パーセント高くする必要がある。
【００５４】
そこで、ＦＥＣ設定制御部２６ａは、光インタフェースの伝送レートを表すレート指示光ＩＦレート制御部２７ａに与える。レート指示は、光トランシーバ２ａ内でＦＥＣを終端するか否かを表す情報、およびＦＥＣの種別を表す情報を含む。
【００５５】
光ＩＦレート制御部２７ａは、ＦＥＣ設定制御部２６ａから与えられるレート指示に従って光送信器２２ａの送信レートを制御する。例えば、光インタフェースの伝送方式がＮＲＺ（Non Return to Zero）またはＰＡＭ４（Pulse Amplitude Modulation 4）であるときは、光ＩＦレート制御部２７ａは、レート指示に従って光送信器２２ａのクロックレートを制御する。また、光インタフェースの伝送方式がＤＭＴであるときは、光ＩＦレート制御部２７ａは、レート指示に従って、サンプリングレートまたはビット割当てを制御する。ここで、図５〜図６を参照しながらＤＭＴについて簡単に記載する。
【００５６】
図５は、ＤＭＴ変調を利用してデータを伝送する光伝送システムの一例を示す。ここでは、光送信器１０１から光受信器１０２へＤＭＴ変調光信号が伝送されるものとする。光送信器１０１と光受信器１０２との間には、光ファイバ伝送路が設けられている。なお、光ファイバ伝送路上には、１または複数の光増幅器が設けられていてもよい。
【００５７】
光送信器１０１は、ＤＭＴ変調部１０１ａ、Ｄ／Ａコンバータ１０１ｂ、Ｅ／Ｏ素子１０１ｃを有する。ＤＭＴ変調部１０１ａは、データからＤＭＴ変調信号を生成する。このとき、データは、分割されて複数のサブキャリアに割り当てられる。このため、高速データが伝送される場合であっても、各サブキャリアに割り当てられるデータの速度を遅くすることができる。なお、複数のサブキャリアの周波数は互いに異なっている。
【００５８】
Ｄ／Ａコンバータ１０１ｂは、ＤＭＴ変調部１０１ａにより生成されるＤＭＴ変調信号をアナログ信号に変換する。そして、Ｅ／Ｏ素子１０１ｃは、アナログＤＭＴ変調信号からＤＭＴ変調光信号を生成する。Ｅ／Ｏ素子１０１ｃは、例えば、直接変調レーザ部品により実現される。
【００５９】
図６（ａ）は、ＤＭＴ変調光信号のスペクトルの一例を示す。この例では、ＤＭＴ変調において、Ｎ個のサブキャリア１〜Ｎを利用してデータが伝送される。また、各サブキャリアの光強度（または、光パワー）は、ほぼ等化されている。そして、このＤＭＴ変調光信号は、光ファイバ伝送路を介して伝送され、光受信器１０２により受信される。
【００６０】
光受信器１０２は、Ｏ／Ｅ素子１０２ａ、Ａ／Ｄコンバータ１０２ｂ、ＤＭＴ復調部１０２ｃを有する。Ｏ／Ｅ素子１０２ａは、受信したＤＭＴ変調光信号を電気信号に変換する。Ｏ／Ｅ素子１０２ａは、例えば、フォトダイオードを含んで構成される。Ａ／Ｄコンバータ１０２ｂは、Ｏ／Ｅ素子１０２ａから出力される信号をデジタル信号に変換する。そして、ＤＭＴ復調部１０２ｃは、Ａ／Ｄコンバータ１０２ｂから出力されるデジタル信号に対してＤＭＴ復調を行ってデータを再生する。
【００６１】
上記構成の光伝送システムにおいて、各サブキャリアに対するデータの割当ては、例えば、伝送装置間の伝送特性に基づいて決定される。伝送特性は、例えば、受信側の光伝送装置においてモニタされる光信号対雑音比（ＳＮＲ：Signal-to-Noise Ratio）により特定される。すなわち、伝送特性モニタ部１０３は、光送信器１０１から受信するＤＭＴ変調光信号の光信号対雑音比をモニタする。この場合、伝送特性モニタ部１０３は、サブキャリア毎に光信号対雑音比をモニタする。
【００６２】
図６（ｂ）は、伝送特性モニタ部１０３により測定された伝送特性の一例を示す。横軸は、各サブキャリアを識別するサブキャリア番号（１〜Ｎ）を表す。縦軸は、光信号対雑音比を表す。この実施例では、サブキャリア番号が小さい周波数領域で伝送特性が良好であり、サブキャリア番号が大きい周波数領域で伝送特性が劣化している。
【００６３】
ビット割当て部１０４は、伝送特性モニタ部１０３により測定された伝送特性に基づいて、各サブキャリアに対するビット割当てを決定する。すなわち、各サブキャリアについて、１シンボルで伝送するビット数が決定される。このとき、光信号対雑音比が高いサブキャリアに対して割り当てられるビット数は大きく、光信号対雑音比が低いサブキャリアに対して割り当てられるビット数は小さい。図６（ｃ）に示す例では、サブキャリア１〜１００に対してそれぞれ「４ビット」が割り当てられ、サブキャリア１０１〜１９０に対してそれぞれ「３ビット」が割り当てられ、サブキャリア１９１〜２５６に対してそれぞれ「２ビット」が割り当てられている。
【００６４】
ビット設定部１０５は、ビット割当て部１０４によって決定されたビット割当てに従って、各サブキャリアの変調方式を指定する。例えば、「２ビット」が割り当てられるサブキャリアに対しては、ＱＰＳＫに相当する変調方式が指定される。「３ビット」が割り当てられるサブキャリアに対しては、８ＰＳＫに相当する変調方式が指定される。「４ビット」が割り当てられるサブキャリアに対しては、１６ＱＡＭに相当する変調方式が指定される。そうすると、ＤＭＴ変調部１０１ａは、ビット設定部１０５により指定された変調方式で、各サブキャリアを変調する。
【００６５】
図３に示す光送信器２２ａおよび光受信器２３ｂは、それぞれ、図５に示す光送信器１０１および光受信器１０２に相当する。そして、図３に示す光インタフェースの伝送方式がＤＭＴであるときは、光ＩＦレート制御部２７ａは、レート指示に従って、サンプリングレートまたはビット割当てを制御する。
【００６６】
この場合、光送信器２２ａにおいて、ノードＢへの送信データは、いったんメモリに格納される。そして、このメモリから読み出されるデータが各サブキャリアに分配される。サンプリングレートは、このメモリからデータを読み出す読出しレートに相当する。よって、光トランシーバ２ａがＦＥＣを終端するときと比較して、光トランシーバ２ａがＦＥＣを終端しないときは、光ＩＦレート制御部２７ａは、このサンプリングレートを高くする。
【００６７】
また、光ＩＦレート制御部２７ａは、このサンプリングレートを維持したまま、各サブキャリアへのビット割当てを変更してもよい。例えば、光トランシーバ２ａがＦＥＣを終端するときと比較して、光トランシーバ２ａがＦＥＣを終端しないときは、光ＩＦレート制御部２７ａは、所定数のサブキャリアに割り当てるビット数を増やす。なお、「ビット割当て」は、変調方式に対応する。すなわち、ビット割当てを増やす処理は、１シンボル当たりのビット数の少ない変調方式から１シンボル当たりのビット数の多い変調方式へ切り替えることを意味する。
【００６８】
上述のようにしてノードＡにより生成される光信号は、光インタフェースを介してノードＢへ伝送される。ノードＢにおいて、光トランシーバ２ｂは、光インタフェースを介して光信号を受信する。
【００６９】
ノードＢにおいて、ＦＥＣ設定制御部２６ｂは、ＦＥＣ設定制御部２６ａと同様に、電気インタフェースＩＦ−１、ＩＦ−２に適用されるＦＥＣの種別をそれぞれ判定し、電気インタフェースＩＦ−１、ＩＦ−２に適用されるＦＥＣの種別が互いに同じであるか判定する。そして、ＦＥＣ設定制御部２６ｂは、光ＩＦレート制御部２７ｂにレート指示を与え、また、送信器２４ｂにＦＥＣ指示を与える。なお、ＦＥＣ設定制御部２６ａおよびＦＥＣ設定制御部２６ｂは、同じ情報（すなわち、伝送情報ＩＦ−１および伝送情報ＩＦ−２）に基づいて、ＦＥＣの種別が互いに同じであるか否かを判定する。したがって、ノードＡ、Ｂにおいて、同じ判定結果が得られることになる。
【００７０】
光ＩＦレート制御部２７ｂは、ＦＥＣ設定制御部２６ｂから与えられるレート指示に従って光受信器２３ｂの受信レートを制御する。すなわち、受信フレームからＦＥＣが除去されているときと比較して、受信フレームにＦＥＣが付加されているときは、光インタフェースから光信号を受信するレートを高くする。このとき、光インタフェースの伝送方式がＮＲＺまたはＰＡＭ４であるときは、光ＩＦレート制御部２７ｂは、レート指示に従って光受信器３ｂのクロックレートを制御する。また、光インタフェースの伝送方式がＤＭＴであるときは、光ＩＦレート制御部２７ｂは、レート指示に従って、サンプリングレートまたはビット割当てを制御する。
【００７１】
なお、光受信器２３ｂにおいて、ノードＡから受信するデータは、いったんメモリに格納される。そして、そのメモリから読み出されるデータが送信器２４ｂを介してＭＡＣデバイス１ｂに導かれる。すなわち、サンプリングレートは、このメモリからデータを読み出す読出しレートに相当する。また、各サブキャリアのビット割当ては、各サブキャリアの復調処理を指定する。
【００７２】
送信器２４ｂは、ＦＥＣ設定制御部２６ｂから与えられるＦＥＣ指示に従って、受信フレームを処理する。図４（ｂ）は、受信側ノードの光トランシーバ内に設けられる送信器の構成の一例を示す。すなわち、ノードＢの光トランシーバ２ｂに設けられる送信器２４ｂの構成を示す。この実施例では、送信器２４ｂは、ＦＥＣ処理部４０を含む。ＦＥＣ処理部４０は、ＦＥＣ付加部４１を含む。なお、図４（ｂ）において、送信器２４ｂ内の他の回路要素は省略されている。
【００７３】
電気インタフェースＩＦ−１、ＩＦ−２に適用されるＦＥＣが互いに異なるときは、上述したように、ノードＡから送信されるフレームにはＦＥＣが付加されていない。この場合、ＦＥＣ設定制御部２６ｂは、ＯＮ状態を表すＦＥＣ指示を送信器２４ｂに与える。そうすると、ＦＥＣ付加部４１は、受信フレームにＦＥＣを付加する。一方、電気インタフェースＩＦ−１、ＩＦ−２に適用されるＦＥＣが互いに同じであるときは、上述したように、ノードＡから送信されるフレームにはＦＥＣが付加されている。この場合、ＦＥＣ設定制御部２６ｂは、ＯＦＦ状態を表すＦＥＣ指示を送信器２４ｂに与える。そうすると、受信フレームは、ＦＥＣ処理部４０により処理されることなく、ＭＡＣデバイス１ｂへ導かれる。
【００７４】
このように、実施形態の伝送方法によれば、送信側ノードおよび受信側ノードに適用されるＦＥＣの種別が同じであるときは、光トランシーバにおいてＦＥＣ処理は実行されない。したがって、送信側ノードにおいては、誤り訂正のための消費電力が削減される。また、受信側ノードにおいては、ＦＥＣを生成してフレームに付加するための消費電力が削減される。
【００７５】
なお、上述の実施例では、ノードＡからノードＢへデータが伝送されるケースについて説明したが、ノードＢからノードＡへデータが伝送されるときも、同様の手順でＦＥＣを処理するための構成が決定される。また、上述のＦＥＣ設定は、光インタフェースの伝送方式がＤＭＴであるときは、サブキャリアのビット割当てを決定するネゴシエーションのなかで実行されるようにしてもよい。
【００７６】
さらに、光インタフェースの伝送方式がＤＭＴであるときは、複数のサブキャリアの中から指定される１つのサブキャリアを利用してノードＡ、Ｂ間で伝送情報を通知してもよい。或いは、主データ信号とは別に伝送される制御信号を利用してノード間で伝送情報が通知されるようにしてもよい。
【００７７】
図７（ａ）は、送信側ノードのＦＥＣ設定処理を示すフローチャートである。なお、以下の記載では、ノードＡの光トランシーバ２ａにおいてＦＥＣ設定処理が実行されるものとする。
【００７８】
Ｓ１において、ＦＥＣ設定制御部２６ａは、送信側ノードのＭＡＣデバイスと光トランシーバとの間の電気インタフェース（すなわち、電気インタフェースＩＦ−１）のデータ伝送を表す伝送情報（すなわち、伝送情報ＩＦ−１）を取得する。Ｓ２において、ＦＥＣ設定制御部２６ａは、受信側ノードのＭＡＣデバイスと光トランシーバとの間の電気インタフェース（すなわち、電気インタフェースＩＦ−２）のデータ伝送を表す伝送情報（すなわち、伝送情報ＩＦ−２）を取得する。なお、ＦＥＣ設定制御部２６ａは、Ｓ１よりも前にＳ２を実行してもよい。
【００７９】
Ｓ３において、ＦＥＣ設定制御部２６ａは、取得した伝送情報に基づいて、送信側ノードの電気インタフェースに適用されているＦＥＣおよび受信側ノードの電気インタフェースに適用されているＦＥＣが同じであるか判定する。このとき、ＦＥＣ設定制御部２６ａは、送信側ノードおよび受信側ノードの電気インタフェースに適用されているＦＥＣの種別をそれぞれ認識する。
【００８０】
送信側ノードおよび受信側ノードのＦＥＣの種別が同じでないときは、ＦＥＣ設定制御部２６ａは、Ｓ４において、ＦＥＣ処理をＯＮ状態に制御するＦＥＣ指示を生成する。このＦＥＣ指示が与えられた後は、受信器２１ａは、受信フレームを終端する。すなわち、誤り訂正が実行され、受信フレームからＦＥＣが除去される。さらに、ＦＥＣ設定制御部２６ａは、Ｓ５において、送信レートをデフォルト値に制御するレート指示を生成する。このレート指示が与えられると、光ＩＦレート制御部２７ａは、光送信器２２ａの送信レートをデフォルト値に制御する。
【００８１】
一方、送信側ノードおよび受信側ノードのＦＥＣの種別が同じであるときは、ＦＥＣ設定制御部２６ａは、Ｓ６において、ＦＥＣ処理をＯＦＦ状態に制御するＦＥＣ指示を生成する。このＦＥＣ指示が与えられた後は、受信器２１ａは、受信フレームを終端しない。すなわち、ＦＥＣが付加されたフレームが受信器２１ａから光送信器２２ａに導かれる。さらに、ＦＥＣ設定制御部２６ａは、Ｓ７において、ＦＥＣの種別に応じて送信レートを制御するレート指示を生成する。光ＩＦレート制御部２７ａは、このレート指示に従って光送信器２２ａの送信レートを制御する。
【００８２】
図７（ｂ）は、受信側ノードのＦＥＣ設定処理を示すフローチャートである。なお、以下の記載では、ノードＢの光トランシーバ２ｂにおいてＦＥＣ設定処理が実行されるものとする。またＳ１〜Ｓ４、Ｓ６の処理は、送信側ノードおよび受信側ノードにおいて実質的に同じなので、説明を省略する。
【００８３】
送信側ノードおよび受信側ノードのＦＥＣの種別が同じでないときは、Ｓ１１が実行される。Ｓ１１において、ＦＥＣ設定制御部２６ｂは、受信レートをデフォルト値に制御するレート指示を生成する。このレート指示が与えられると、光ＩＦレート制御部２７ｂは、光受信器２３ｂの受信レートをデフォルト値に制御する。一方、送信側ノードおよび受信側ノードのＦＥＣの種別が同じであるときは、Ｓ１２が実行される。Ｓ１２において、ＦＥＣ設定制御部２６ｂは、ＦＥＣの種別に応じて受信レートを制御するレート指示を生成する。光ＩＦレート制御部２７ｂは、このレート指示に従って光受信器２３ｂの受信レートを制御する。
【００８４】
なお、上述の実施例では、電気インタフェースのデータ伝送を表す伝送情報（伝送レート、変調方式、物理レーンの本数、インタフェースの規格の名称、予め測定されたビット誤り率など）に基づいて、送信側ノードおよび受信側ノードのＦＥＣが互いに同じであるか判定される。ただし、本発明は、この方法に限定されるものではない。
【００８５】
たとえば、伝送情報は、ＦＥＣの種別を直接的に識別する情報であってもよい。この場合、ノードＡは、ノードＡが使用するＦＥＣの種別をノードＢに通知し、ノードＢは、ノードＢが使用するＦＥＣの種別をノードＡに通知する。この後、ＦＥＣ設定制御部および光ＩＦレート制御部は、上述の実施例と同様の処理を実行する。
【００８６】
図８は、本発明の実施形態に係わる光伝送システムの他の例を示す。図３に示す実施形態では、光トランシーバ２ａ、２ｂがＦＥＣ設定処理を起動する。これに対して、図８に示す実施形態では、ＭＡＣデバイス１ａ、１ｂがＦＥＣ設定処理を起動する。
【００８７】
したがって、図８に示す実施形態では、ＭＡＣデバイス１ａは、送信器１１ａおよび受信器１２ａに加えて電気ＩＦ情報提供部１３ａを備える。電気ＩＦ情報提供部１３ａは、電気インタフェースＩＦ−１のデータ伝送を表す伝送情報ＩＦ−１を光トランシーバ２ａへ送信する。この伝送情報ＩＦ−１は、電気ＩＦ情報収集部２５ａにより受信され、ＦＥＣ設定制御部２６ａに与えられる。また、この伝送情報ＩＦ−１は、光送信器２２ａおよび光受信器２３ｂを介して電気ＩＦ情報収集部２８ｂにより受信され、ＦＥＣ設定制御部２６ｂに与えられる。
【００８８】
同様に、ＭＡＣデバイス１ｂは、送信器１１ｂおよび受信器１２ｂに加えて電気ＩＦ情報提供部１３ｂを備える。そして、電気ＩＦ情報提供部１３ｂは、電気インタフェースＩＦ−２のデータ伝送を表す伝送情報ＩＦ−２を光トランシーバ２ｂへ送信する。この伝送情報ＩＦ−２は、電気ＩＦ情報収集部２５ｂにより受信され、ＦＥＣ設定制御部２６ｂに与えられる。また、この伝送情報ＩＦ−２は、光送信器２２ｂおよび光受信器２３ａを介して電気ＩＦ情報収集部２８ａにより受信され、ＦＥＣ設定制御部２６ａに与えられる。
【００８９】
このように、図８に示す実施形態においても、ノードＡのＦＥＣ設定制御部２６ａおよびノードＢのＦＥＣ設定制御部２６ｂは、同じ伝送情報を取得する。この後のＦＥＣ設定手順は、図３および図８に示す実施形態において実質的に同じである。
【００９０】
図９は、本発明の実施形態に係わる光伝送システムのさらに他の例を示す。図８に示す実施形態と同様に、図９に示す実施形態でもＭＡＣデバイス１ａ、１ｂがＦＥＣ設定処理を起動する。ただし、図９に示す実施形態では、ＭＡＣデバイス１ａ、１ｂにおいてＦＥＣ設定を変更するか否かが判定される。
【００９１】
したがって、図９に示す実施形態では、ＭＡＣデバイス１ａは、送信器１１ａ、受信器１２ａ、電気ＩＦ情報提供部１３ａに加えて電気ＩＦ情報収集部１４ａを備える。また、ＭＡＣデバイス１ｂは、送信器１１ｂ、受信器１２ｂ、電気ＩＦ情報提供部１３ｂに加えて電気ＩＦ情報収集部１４ｂを備える。
【００９２】
上記構成の光伝送システムにおいて、電気ＩＦ情報提供部１３ａにより提供される伝送情報ＩＦ−１は、光トランシーバ２ａ、２ｂを介してＭＡＣデバイス１ｂへ転送される。この伝送情報ＩＦ−１は、電気ＩＦ情報収集部１４ｂにより受信され、電気ＩＦ情報提供部１３ｂに与えられる。同様に、電気ＩＦ情報提供部１３ｂにより提供される伝送情報ＩＦ−２は、光トランシーバ２ｂ、２ａを介してＭＡＣデバイス１ａへ転送される。この伝送情報ＩＦ−２は、電気ＩＦ情報収集部１４ａにより受信され、電気ＩＦ情報提供部１３ａに与えられる。
【００９３】
電気ＩＦ情報提供部１３ａは、電気ＩＦ情報提供部１３ａ自身が管理する伝送情報ＩＦ−１、およびＭＡＣデバイス１ｂから取得する伝送情報ＩＦ−２に基づいて、ノードＡのＦＥＣ設定を決定する。すなわち、光トランシーバ２ａにおいてＦＥＣを終端するか否かを表すＦＥＣ設定情報が生成される。このＦＥＣ設定情報は、送信器１１ａおよび受信器２１ａを介してＦＥＣ設定制御部２６ａに与えられる。同様に、電気ＩＦ情報提供部１３ｂは、電気ＩＦ情報提供部１３ｂ自身が管理する伝送情報ＩＦ−２、およびＭＡＣデバイス１ａから取得する伝送情報ＩＦ−１に基づいて、ノードＢのＦＥＣ設定を決定する。すなわち、光トランシーバ２ｂにおいてＦＥＣを終端するか否かを表すＦＥＣ設定情報が生成される。このＦＥＣ設定情報は、送信器１１ｂおよび受信器２１ｂを介してＦＥＣ設定制御部２６ｂに与えられる。この後のＦＥＣ設定手順は、図３および図９に示す実施形態において実質的に同じである。
【００９４】
次に、図１０〜図１５を参照しながら、データ通信が開始される前に実行されるＦＥＣ設定のシーケンスを説明する。以下の記載では、図３、図８、又は図９に示すノードＡ、Ｂ間で通信が行われるものとする。光トランシーバ２ａ、２ｂは、それぞれプラガブルモジュールである。そして、光トランシーバ２ａ、２ｂがそれぞれＭＡＣデバイス１ａ、１ｂに接続されると、ＦＥＣ設定シーケンスが開始される。なお、ノードＡ、Ｂ間の伝送方式がＤＭＴである場合、ＦＥＣ設定シーケンスは、例えば、ＤＭＴのサブキャリアのビット配置を決定するネゴシエーションプロセスの中で実行されるようにしてもよい。
【００９５】
図１０に示すケースでは、光トランシーバ２ａが電気インタフェースＩＦ−１のデータ伝送を表す伝送情報ＩＦ−１を管理し、光トランシーバ２ｂが電気インタフェースＩＦ−２のデータ伝送を表す伝送情報ＩＦ−２を管理している。したがって、ＦＥＣ設定シーケンスが開始されると、光トランシーバ２ａは伝送情報ＩＦ−１を取得し、光トランシーバ２ｂは伝送情報ＩＦ−２を取得する。そして、光トランシーバ２ａは伝送情報ＩＦ−１をノードＢへ送信し、光トランシーバ２ｂは伝送情報ＩＦ−２をノードＡへ送信する。
【００９６】
光トランシーバ２ａは、伝送情報ＩＦ−１および伝送情報ＩＦ−２に基づいて、ノードＡ、Ｂで使用されるＦＥＣの種別を比較する。この比較結果により、ＦＥＣ処理を実行するか否かが判定される。そして、光トランシーバ２ａは、この判定結果に応じて、ＦＥＣ設定および伝送レートの設定を行う。同様に、光トランシーバ２ｂも、ＦＥＣ設定および伝送レートの設定を行う。この後、ノードＡ、Ｂ間（すなわち、ＭＡＣデバイス１ａ、１ｂ間）でデータ通信が開始される。
【００９７】
図１１に示すケースでは、ノードＡ、Ｂ内の電気インタフェースのデータ伝送を表す伝送情報は、それぞれＭＡＣデバイス１ａ、１ｂにより管理されている。したがって、ＦＥＣ設定シーケンスが開始されると、光トランシーバ２ａは、ＭＡＣデバイス１ａに対して伝送情報ＩＦ−１を要求し、光トランシーバ２ｂは、ＭＡＣデバイス１ｂに対して伝送情報ＩＦ−２を要求する。そして、この要求を受けると、ＭＡＣデバイス１ａは、伝送情報ＩＦ−１を光トランシーバ２ａに提供し、ＭＡＣデバイス１ｂは、伝送情報ＩＦ−２を光トランシーバ２ｂに提供する。以降の手順は、図１０および図１１において実質的に同じである。なお、図１１に示すシーケンスにおいては、光トランシーバは、異なる電気インタフェースを提供するＭＡＣデバイスにも接続できる。
【００９８】
図１２に示すシーケンスは、図１１に示すシーケンスと類似している。ただし、図１２に示すケースでは、光トランシーバ２ａは、光トランシーバ２ｂに対して伝送情報ＩＦ−２を要求する。そして、この要求を受けると、光トランシーバ２ｂは、伝送情報ＩＦ−２を光トランシーバ２ａに提供する。この後、光トランシーバ２ａは、伝送情報ＩＦ−１を光トランシーバ２ｂに提供する。以降の手順は、図１０および図１２において実質的に同じである。
【００９９】
なお、光トランシーバ２ａは、ＦＥＣ設定およびレート設定が終了した後に伝送情報ＩＦ−１を光トランシーバ２ｂに提供してもよい。また、光トランシーバ２ｂは、ＦＥＣ設定およびレート設定が終了した後に、再度、伝送情報ＩＦ−２を光トランシーバ２ａに提供してもよい。
【０１００】
図１３に示すケースでは、一方のノードに設けられる光トランシーバがマスタ装置としてＦＥＣ設定シーケンスを制御する。図１３に示す例では、ノードＡに設けられる光トランシーバ２ａがマスタ装置として動作する。すなわち、光トランシーバ２ａは、ＭＡＣデバイス１ａから伝送情報ＩＦ−１を取得した後、光トランシーバ２ｂに対して伝送情報ＩＦ−２を要求する。そして、この要求を受けると、光トランシーバ２ｂは、ＭＡＣデバイス１ｂから伝送情報ＩＦ−２を取得して光トランシーバ２ａに提供する。以降の手順は、図１０および図１３において実質的に同じである。
【０１０１】
図１４に示すケースでは、ＦＥＣ設定シーケンスが開始されると、ＭＡＣデバイス１ａから光トランシーバ２ａへ伝送情報ＩＦ−１が提供され、ＭＡＣデバイス１ｂから光トランシーバ２ｂへ伝送情報ＩＦ−２が提供される。以降の手順は、図１０および図１４において実質的に同じである。なお、図１４に示すシーケンスにおいては、ＭＡＣデバイスが所望の電気インタフェースを選択できる。
【０１０２】
図１５に示すケースでは、ネットワーク管理システム５０により各ノードの各光トランシーバの設定が制御される。なお、各ノードには、スイッチ回路が設けられている。スイッチ回路は、スイッチファブリックを含む。スイッチファブリックは、複数のＭＡＣデバイスを収容することができる。そして、各ＭＡＣデバイスには、光トランシーバを接続することができる。各トランシーバは、光ファイバを介して他の光トランシーバに接続され得る。
【０１０３】
この実施例では、各ノード内の電気インタフェースは共通化されている。例えば、ノードＡにおいて、ＭＡＣＬＳＩ−Ａ１、Ａ２、．．．と光トランシーバＡ１、Ａ２、．．．との間の電気インタフェースは、すべてＩＦ−１である。また、ノードＢにおいて、ＭＡＣＬＳＩ−Ｂ１、Ｂ２、．．．と光トランシーバＢ１、Ｂ２、．．．との間の電気インタフェースは、すべてＩＦ−２である。
【０１０４】
ネットワーク管理システム５０は、ノード間を接続するパスを管理する。図１５に示す例では、ノードＡのＭＡＣＬＳＩ−Ａ１とノードＢのＭＡＣＬＳＩ−Ｂ１とが接続されると、その間に設定されるパスがネットワーク管理システム５０に登録される。
【０１０５】
ネットワーク管理システム５０は、新たなパスが登録されると、そのパスのためのＦＥＣ設定を実行する。すなわち、ネットワーク管理システム５０は、ノードＡおよびノードＢに対して、それぞれ、電気インタフェースにおけるデータ伝送を表す伝送情報を要求する。ノードＡおよびノードＢは、それぞれ要求に応じて、伝送情報ＩＦ−１および伝送情報ＩＦ−２をネットワーク管理システム５０へ送信する。そうすると、ネットワーク管理システム５０は、ノードＡ、Ｂにおいてそれぞれ使用されるＦＥＣの種別を検出し、それらが互いに同じであるか否かを判定する。また、ネットワーク管理システム５０は、この判定結果に応じて、ノードＡ、Ｂへ設定情報を送信する。設定情報は、光トランシーバにおいてＦＥＣを終端するか否かを表す情報、および光インタフェースの伝送レートを表す情報を含む。そして、ノードＡのＭＡＣＬＳＩ−Ａ１およびノードＢのＭＡＣＬＳＩ−Ｂ１は、それぞれ、ネットワーク管理システム５０から与えられる設定情報に従って回路の設定を行う。
【図１】
2016110973.tif 000003
【図２】
2016110973.tif 000004
【図３】
2016110973.tif 000005
【図４】
2016110973.tif 000006
【図５】
2016110973.tif 000007
【図６】
2016110973.tif 000008
【図７】
2016110973.tif 000009
【図８】
2016110973.tif 000010
【図９】
2016110973.tif 000011
【図１０】
2016110973.tif 000012
【図１１】
2016110973.tif 000013
【図１２】
2016110973.tif 000014
【図１３】
2016110973.tif 000015
【図１４】
2016110973.tif 000016
【図１５】
2016110973.tif 000017
【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
第１のノードから第２のノードへ光インタフェースを介してフレームを伝送する光伝送システムにおいて前記第１のノードに設けられる伝送装置であって、
誤り訂正符号が付加されたフレームをフレーム生成回路から第１の電気インタフェースを介して受信する受信器と、
前記受信器により受信されたフレームを前記光インタフェースを介して前記第２のノードへ送信する光送信器と、
前記第１の電気インタフェースにおけるデータ伝送を表す第１の伝送情報、および前記第２のノード内に設けられる光受信器と前記フレームを終端するフレーム終端回路との間の第２の電気インタフェースにおけるデータ伝送を表す第２の伝送情報に基づいて、前記第１の電気インタフェースで使用される第１の誤り訂正符号の種別と前記第２の電気インタフェースで使用される第２の誤り訂正符号の種別とが同じであるか判定する判定部と、を備え、
前記第１の誤り訂正符号の種別と前記第２の誤り訂正符号の種別とが異なるときには、前記受信器は、受信フレームに付加されている誤り訂正符号を終端し、誤り訂正符号が除去されたフレームを前記光送信器に導き、
前記第１の誤り訂正符号の種別と前記第２の誤り訂正符号の種別とが同じであるときには、前記受信器は、受信フレームに付加されている誤り訂正符号を終端することなく、誤り訂正符号が付加されたフレームを前記光送信器に導く
ことを特徴とする伝送装置。
【請求項２】
前記光インタフェースへ信号を送信する送信レートを制御するレート制御部をさらに備え、
前記第１の誤り訂正符号の種別と前記第２の誤り訂正符号の種別とが異なるときには、前記レート制御部は、誤り訂正符号が除去されたフレームが第１のレートで前記光インタフェースを介して伝送されるように前記光送信器を制御し、
前記第１の誤り訂正符号の種別と前記第２の誤り訂正符号の種別とが同じであるときには、前記レート制御部は、誤り訂正符号が付加されたフレームが前記第１のレートよりも高い第２のレートで前記光インタフェースを介して伝送されるように前記光送信器を制御する
ことを特徴とする請求項１に記載の伝送装置。
【請求項３】
前記光送信器は、ＤＭＴ（Discrete Multi-Tone）変調を利用して前記光インタフェースを介して前記第２のノードへフレームを送信する構成であり、
前記レート制御部は、前記光送信器において生成されるＤＭＴ変調信号の各サブキャリアに割り当てるビットを制御する
ことを特徴とする請求項２に記載の伝送装置。
【請求項４】
前記判定部は、前記第１の電気インタフェースの伝送レートと前記第２の電気インタフェースの伝送レートとを比較することにより、前記第１の誤り訂正符号の種別と前記第２の誤り訂正符号の種別とが同じであるか判定する
ことを特徴とする請求項１〜３のいずれか１つに記載の伝送装置。
【請求項５】
第１のノードから第２のノードへ光インタフェースを介してフレームを伝送する光伝送システムにおいて前記第２のノードに設けられる伝送装置であって、
前記第１のノードから光インタフェースを介してフレームを受信する光受信器と、
前記光受信器により受信されたフレームを、前記フレームを終端するフレーム終端回路へ第２の電気インタフェースを介して送信する送信器と、
前記第１のノード内に設けられる前記フレームを生成するフレーム生成回路と光送信器との間の第１の電気インタフェースにおけるデータ伝送を表す第１の伝送情報、および前記第２の電気インタフェースにおけるデータ伝送を表す第２の伝送情報に基づいて、前記第１の電気インタフェースで使用される第１の誤り訂正符号の種別と前記第２の電気インタフェースで使用される第２の誤り訂正符号の種別とが同じであるか判定する判定部と、を備え、
前記第１の誤り訂正符号の種別と前記第２の誤り訂正符号の種別とが異なるときには、前記送信器は、前記光受信器により受信されたフレームに誤り訂正符号を付加して前記フレーム終端回路へ送信し、
前記第１の誤り訂正符号の種別と前記第２の誤り訂正符号の種別とが同じであるときには、前記送信器は、前記光受信器により受信されたフレームを前記フレーム終端回路へ送信する
ことを特徴とする伝送装置。
【請求項６】
前記光インタフェースから信号を受信する受信レートを制御するレート制御部をさらに備え、
前記第１の誤り訂正符号の種別と前記第２の誤り訂正符号の種別とが異なるときには、前記レート制御部は、前記光インタフェースを介して誤り訂正符号が付加されていないフレームを第１のレートで受信するように前記光受信器を制御し、
前記第１の誤り訂正符号の種別と前記第２の誤り訂正符号の種別とが同じであるときには、前記レート制御部は、前記光インタフェースを介して誤り訂正符号が付加されているフレームを前記第１のレートよりも高い第２のレートで受信するように前記光送信器を制御する
ことを特徴とする請求項５に記載の伝送装置。
【請求項７】
第１のノードから第２のノードへ光インタフェースを介してフレームを伝送する伝送方法であって、
前記第１のノードには、フレームを生成するフレーム生成回路および前記フレーム生成回路により生成されたフレームを前記光インタフェースへ出力する第１の伝送装置が設けられており、
前記第２のノードには、前記光インタフェースからフレームを受信する第２の伝送装置および前記第２の伝送装置により受信されたフレームを終端するフレーム終端回路が設けられており、
前記フレーム生成回路により生成されるフレームに付加されている誤り訂正符号の種別と、前記フレーム終端回路により終端される誤り訂正符号の種別とが異なるときは、
前記第１の伝送装置は、前記フレーム生成回路により生成されたフレームに付加されている誤り訂正符号を終端し、誤り訂正符号が除去されたフレームを前記光インタフェースへ出力し、
前記第２の伝送装置は、前記光インタフェースを介して受信したフレームに誤り訂正符号を付加して前記フレーム終端回路へ導き、
前記フレーム生成回路により生成されるフレームに付加されている誤り訂正符号の種別と、前記フレーム終端回路により終端される誤り訂正符号の種別とが同じであるときは、
前記第１の伝送装置は、前記フレーム生成回路により生成されたフレームに付加されている誤り訂正符号を終端することなく、誤り訂正符号が付加されたフレームを前記光インタフェースへ出力し、
前記第２の伝送装置は、前記光インタフェースを介して受信したフレームを前記フレーム終端回路へ導く
ことを特徴とする伝送方法。
【国際調査報告】
2016110973.tif 000018
2016110973.tif 000019
2016110973.tif 000020
2016110973.tif 000021